(57)【要約】【課題】【解決手段】下側ファイルキャビネットの頂部に積み重ねることのできる上側キャビネットを有する多数引出しファイルキャビネットが提供される。下側キャビネットは、第一の周縁を有する周端縁を持つ頂面を備えている。上側キャビネットは、側壁を有する基部を備えている。側壁は、第二の周縁を持つ周端縁を備えている。第二の周縁は第一の周縁よりも大きく、側壁は、第一のキャビネットにおける頂面の周端縁の周りに嵌まる。キャビネットは、ケーシングに形成された１対の外側トラックと引出しフレームに形成されたトラックとの間に摺動可能に配置された１対の摺動部材を有する伸長可能な引出し組立体を備えている。更に、係止組立体は、ケーシングの凹所と、引出しヘッド部の棚状突起と関係し、キャビネットが火災による損傷を受けたときでさえ、引出し組立体が係止位置に止まることを許容する。
2006524545.tif 000002
【特許請求の範囲】
【請求項１】
多数引出しファイルキャビネットにおいて、
周端縁を有する頂面を持つ第一のキャビネットであって、該頂面の周端縁は第一の周縁を有し、端縁により画成された引出し開口部を有する前記第一のキャビネットと、
基部を有し、該基部は周端縁を有する側壁を備え、該側壁の周端縁は第二の周縁を有する第二のキャビネットであって、第二の周縁は第一の周縁より大きく、第二のキャビネットの側壁は、第二のキャビネットが第一のキャビネットの頂部に配置されるよう、第一のキャビネットの頂面の周端縁の周りに嵌まる、前記第二のキャビネットとを備える、多数引出しファイルキャビネット。
【請求項２】
請求項１に記載の多数引出しファイルキャビネットにおいて、側壁は、頂端縁を有し、側壁の頂端縁と周端縁との間の距離は、第一のキャビネットの頂面の周端縁と引出し開口部の端縁との間の距離に等しい、多数引出しファイルキャビネット。
【請求項３】
請求項１に記載の多数引出しファイルキャビネットにおいて、基部の下面に取り付けられた少なくとも１つのバンパーを更に備える、多数引出しファイルキャビネット。
【請求項４】
請求項１に記載の多数引出しファイルキャビネットにおいて、基部を有し、周端縁を持つ側壁を有するアクセサリホルダを更に備え、該アクセサリホルダの側壁の周端縁は、第三の周縁を有し、該第三の周縁は、アクセサリホルダの側壁が第二のキャビネットの頂面の周端縁の周りに嵌まるよう、第二のキャビネットの頂面の周縁よりも大きい、多数引出しファイルキャビネット。
【請求項５】
請求項１に記載の多数引出しファイルキャビネットにおいて、第一のキャビネットと第二のキャビネットとの少なくとも一方は、内側ケーシングと、上側殻体部分と、後殻体部分とを更に有する、多数引出しファイルキャビネット。
【請求項６】
請求項５に記載の多数引出しファイルキャビネットにおいて、上側殻体部分と後殻体部分との少なくとも一方は、底端縁から伸びる少なくとも１つのタブを有し、基部は、該タブを受け入れるよう画成された少なくとも１つのスロットを有する、多数引出しファイルキャビネット。
【請求項７】
請求項６に記載の多数引出しファイルキャビネットにおいて、上側殻体部分は、底端縁の各々から伸びる少なくとも１つのタブを有する、対向した側部分を備え、該タブの各々は、全体として、対向する側部分に向けて内方に伸びる、多数引出しファイルキャビネット。
【請求項８】
請求項６に記載の多数引出しファイルキャビネットにおいて、スロットは、装着した溝を有する、多数引出しファイルキャビネット。
【請求項９】
請求項８に記載の多数引出しファイルキャビネットにおいて、タブは、該タブに画成された取り付け穴を有し、基部は、該基部に画成された相応する取り付け穴を有し、締結機構は、取り付け穴の間を伸びて上側殻体部分を基部に対して固定する、多数引出しファイルキャビネット。
【請求項１０】
請求項５に記載の多数引出しファイルキャビネットにおいて、内側ケーシングの少なくとも一部分は、耐火性材料にて形成される、多数引出しファイルキャビネット。
【請求項１１】
請求項５に記載の多数引出しファイルキャビネットにおいて、基部は、頂面を有し、リップ部は、基部の頂面から伸びて内側ケーシングの正面側と係合する、多数引出しファイルキャビネット。
【請求項１２】
請求項５に記載の多数引出しファイルキャビネットにおいて、引出し組立体を更に備え、該引出し組立体は、正面側引出し組立体と、フレームと、１対の対向する摺動部材とを備え、正面側引出し組立体は、フレームと連結され、対向する摺動部材は、フレームと摺動可能に連結され、引出し組立体が内側ケーシングに対して動くのを許容する、多数引出しファイルキャビネット。
【請求項１３】
請求項１２に記載の多数引出しファイルキャビネットにおいて、摺動部材は、内側ケーシングに形成された１対の外側トラックと、フレーム上に配置された１対の引出しトラックとの間に配備される、多数引出しファイルキャビネット。
【請求項１４】
請求項１３に記載の多数引出しファイルキャビネットにおいて、内側ケーシングに形成された外側トラックの各々は、外側溝と、内側溝とを有し、摺動部材の少なくとも１つは、該摺動部材から伸び且つ、内側ケーシングに形成された内側溝内に伸びるストッパを有する、多数引出しファイルキャビネット。
【請求項１５】
請求項１２に記載の多数引出しファイルキャビネットにおいて、１対の引出しトラックは、フレームから伸びており且つ、該トラックに画成されたスロットを有し、摺動部材の各々は、外側トラックに形成されたスロット内に伸びる摺動タブを有する、多数引出しファイルキャビネット。
【請求項１６】
請求項１５に記載の多数引出しファイルキャビネットにおいて、摺動タブの少なくとも１つは、該タブに形成された係止スロットを有し、引出し組立体は、該組立体から伸びる係止タブを有する少なくとも１つのクリップを備え、係止タブは、該係止スロット内に配置される、多数引出しファイルキャビネット。
【請求項１７】
請求項１６に記載の多数引出しファイルキャビネットにおいて、摺動部材の少なくとも１つと連結された突出体を更に備える、多数引出しファイルキャビネット。
【請求項１８】
請求項１２に記載の多数引出しファイルキャビネットにおいて、正面側引出し組立体は、引出しヘッド部と、盾板と、引出し正面側と、係止機構とを有し、引出しヘッド部及び盾板は、引出し正面側と連結され、係止機構は、盾板内に配置される、多数引出しファイルキャビネット。
【請求項１９】
請求項１８に記載の多数引出しファイルキャビネットにおいて、係止機構は、カムを有し、引出し正面側は、該カムを受け入れ得るように形成された掛止めスロットを有する、多数引出しファイルキャビネット。
【請求項２０】
請求項１９に記載の多数引出しファイルキャビネットにおいて、カムは、取り付け脚部と、平坦部分と、係止脚部とを有する、多数引出しファイルキャビネット。
【請求項２１】
請求項２０に記載の多数引出しファイルキャビネットにおいて、引出しヘッド部は、カムの平坦部分の少なくとも一部分の下方に配置された棚状突起を有し、内側ケーシングは、カムの係止脚部を受け入れ得るよう該ケーシングに形成された凹所を有する、多数引出しファイルキャビネット。
【請求項２２】
ファイルキャビネットにおいて、
ハウジングであって、該ハウジングに画成された開口部を通じてアクセス可能な内部室を有し、該内部室は、該室に一体に画成された１対の外側トラックを有する１対の対向した側壁を備え、外側トラックの各々は、内側溝と、外側溝とを有する前記ハウジングと、
正面側引出し組立体と、フレームと、１対の摺動部材とを有する引出し組立体であって、摺動部材は、引出し組立体のフレームに摺動可能に連結され且つ、ハウジングの外側トラック内に配置され、摺動部材は、該摺動部材から伸び且つ、内側溝内に伸びるストッパを有する前記引出し組立体とを備える、ファイルキャビネット。
【請求項２３】
請求項２２に記載のファイルキャビネットにおいて、ハウジングと引出し組立体との少なくとも一方は、耐火性材料にて形成される、ファイルキャビネット。
【請求項２４】
請求項２２に記載のファイルキャビネットにおいて、１対の引出しトラックは、フレームから伸び且つ、該トラックに画成されたスロットを有し、摺動部材の各々は、引出しトラックに形成されたスロット内に伸びる摺動タブを有する、ファイルキャビネット。
【請求項２５】
請求項２４に記載のファイルキャビネットにおいて、摺動タブの少なくとも１つは、該タブに形成された係止スロットを有し、引出し組立体は、該組立体から伸びる係止タブを有する少なくとも１つのクリップを更に備え、係止タブは係止スロット内に配置される、ファイルキャビネット。
【請求項２６】
請求項２２に記載のファイルキャビネットにおいて、摺動部材の少なくとも１つと連結された突出体を更に備える、ファイルキャビネット。
【請求項２７】
ファイルキャビネットにおいて、
ハウジングあって、該ハウジングに画成された開口部を通じてアクセス可能な内部室を有し且つ、該ハウジングに画成された凹所を有する前記ハウジングと、
該ハウジング内に摺動可能に配置された引出し組立体とを備え、該引出し組立体は、
盾板の開口部と、画成された掛止めスロットとを有する引出し正面側と、
該引出し正面側と連結され、該引出し正面側は棚状突起を有する引出しヘッド部と、
盾板の開口部内に配置されて、画成された係止開口部を有する盾板と、
盾板の係止開口部内に取り付けられた係止機構であって、平坦部分と、係止脚部とを有するカムを備え、係止機構が係止した位置にあるとき、該カムの平坦部分の少なくとも一部分は、引出しヘッド部の棚状突起の上方に配置され、係止機構が係止位置にあるとき、係止脚部の少なくとも一部分は、ハウジングに画成された凹所内に配置される、ファイルキャビネット。
【請求項２８】
請求項２７に記載のファイルキャビネットにおいて、カムは、取り付け脚部を更に備え、係止機構が係止位置にあるとき、該取り付け脚部は、掛止めスロット内に配置される、ファイルキャビネット。
【請求項２９】
請求項２７に記載のファイルキャビネットにおいて、盾板は少なくとも１つのタブを有し、係止機構は、該機構に形成された少なくとも１つのタブ凹所を有し、該タブは該タブ凹所内に配置される、ファイルキャビネット。
【請求項３０】
請求項２７に記載のファイルキャビネットにおいて、盾板は側部支持部材を有し、少なくとも１つの保持クリップは、盾板と引出し正面側との間に配置される、ファイルキャビネット。
【請求項３１】
請求項２７に記載のファイルキャビネットにおいて、引出しヘッド部とハウジングとの少なくとも一方は、耐火性材料にて少なくとも部分的に形成される、ファイルキャビネット。
【発明の詳細な説明】
【技術分野】
【０００１】
本発明は、積み重ね可能な垂直ファイルキャビネットに関する。特に、本発明は、完全に伸び可能な引出しを有する積み重ね可能な垂直ファイルキャビネットに関する。より具体的には、本発明は、完全に伸び可能な引出しと、ファイルキャビネットが火災による損傷を受けたときでさえ、係止位置に止まることのできる係止機構とを有する耐火性の積み重ね可能な垂直ファイルキャビネットに関する。
【背景技術】
【０００２】
垂直ファイルキャビネットは、典型的に、垂直方向に積み重ねた配置状態において内部に複数のファイル引出しを受け入れ得るように正面側にて開放する複数の個別のキャビネットハウジングを有している。かかるキャビネットは、周知であり且つ、典型的に、ねじのような締結具又はその他の接続方法を使用して個別のキャビネットハウジングを互いに組み立てて垂直キャビネット組立体を形成する。
【発明の開示】
【発明が解決しようとする課題】
【０００３】
しかし、既存の垂直ファイルキャビネットには、多数の短所及び不便さがある。例えば、ファイルキャビネットの各々を互いに固定して垂直ファイルキャビネットを形成するためねじ又は同様の接続具を使用することは難しく且つ、時間を費い可能性がある。更に、ねじ又は同様の締結具を使用することは、ユーザの必要性に合うようにキャビネットの形態を再配置し且つ、特注品のようにすることを難しく、また、不便にする。
【０００４】
既存の垂直ファイルキャビネットは、また、ころ軸受又は玉軸受上を動く案内トラックにより引出しハウジング内に摺動可能に配置される引出しも有している。また、引出し組立体自体は、各種の工具及び締結具を使用することを通じて組み立てられる多数の部品から成っている。ころ軸受及び玉軸受を使用し、また、引出し組立体を組み立てるため工具及び締結具を使用することは、製造時間及びコストを増大させることになる。
【０００５】
更に、ファイルキャビネットにて使用される係止機構は、火災に曝されたとき、ファイルキャビネットを固定するその能力を失う傾向がある。特に、係止部を高温度に曝すことは、係止機構要素が溶融するか又はその構造的完全さを失い、このため、キャビネットの引出しが係止機構によらずに開く可能性がある。
【０００６】
従って、ファイルキャビネットをユーザの必要性に合うように容易に再配置することを許容しつつ、ファイルキャビネットを互いに確実に且つ、容易に積み重ねることを可能にする多数引出しファイルキャビネットシステムが必要とされている。更に、工具及び締結具の使用を最小減にし製造時間及びコストを軽減する引出し組立体が必要とされている。更に、高温度に曝された後でさえ、作用可能であるファイルキャビネットの係止機構が必要とされている。本発明は、これらの課題及びその他の課題を満たすものである。
【課題を解決するための手段】
【０００７】
上述した問題点及び制約を解決するため、下側ファイルキャビネットの頂部に積み重ねることのできる上側キャビネットを有する多数引出しの耐火性ファイルキャビネットが提供される。
【０００８】
全体として、下側キャビネットは、第一の周縁を有する周縁端を持つ頂面を備えることができる。上側キャビネットは、側壁を有する基部を備えている。該側壁は、第二の周縁を有する周端縁を備えている。第二の周縁は、第一の周縁よりも大きく、このため、側壁は、第一のキャビネットの頂面の周端縁の周りに嵌まる。
【０００９】
更に、基部の側壁は、頂端縁を有しており、側壁の頂端縁と周端縁との間の距離は第一のキャビネットの頂面の周端縁と引出しの開口部の端縁との間の距離に等しい。下側キャビネットの基部と頂面との間にバンパー又は座金を配置し、キャビネットの損傷を防止することができる。アクセサリホルダを上側キャビネットの頂部に配置することもできる。
【００１０】
更に、上側キャビネットと下側キャビネットは、内側ケーシングと、上側殻体部分と、後殻体部分とを有することもできる。上側殻体部分と後殻体部分との少なくとも一方は、その底端縁から伸びるタブを有し、また、基部は、タブを受け入れて上側殻体部分と後殻体部分とを基部に固定するよう形成された少なくとも１つのスロットを有している。
【００１１】
キャビネットの各々は、また、内側ケーシングに形成された１対の外側トラックと、引出しフレームに形成された１対のトラックとの間にて摺動可能に配置された１対の摺動部材を有する伸長可能な引出し組立体を備えることもできる。内側ケーシングに形成された外側トラックは、各々、外側溝と、内側溝とを有することができ、摺動部材の少なくとも１つは、該部材から伸びるストッパを有しており、該ストッパは、内側ケーシングに形成された内側溝内に伸びている。１対の引出しトラックは、引出しフレームから伸びることができ、また、その内部に形成されたスロットを有し、摺動部材の各々は、引出しトラックに形成されたスロット内に伸びる摺動タブを有している。更に、引出し組立体は、摺動タブに形成された係止スロット内に配置される係止タブを有するクリップを更に有することができる。
【００１２】
更に、引出し組立体は、引出しヘッド部と、盾板と、引出し正面側と、係止機構とを有することができ、引出しヘッド部と盾板は、引出し正面側と連結され、係止機構は、盾板内に配置されている。係止機構は、取り付け脚部を有するカムと、平坦部分と、係止脚部とを有することができる。引出しヘッド部は、カムの平坦部分の少なくとも一部分の下方に配置された棚状突起を有し、また、内側ケーシングは、キャビネットが火災による損傷を受けたときでさえ、引出し組立体が係止位置に止まるのを許容し得るようカムの係止脚部を受け入れるべく形成された凹所を有している。
【００１３】
本発明の追加的な目的、有利な効果及び新規な特徴は、以下の説明に一部分記載され、また、一部分、添付図面と共に検討したとき、本発明を実施する当業者に明らかになるであろう。
【００１４】
添付図面は、本明細書の一部を構成するものであり、本明細書と共に読むべきであり、色々な図面にて同様の部品を示すため同様の参照番号が採用されている。
【発明を実施するための最良の形態】
【００１５】
先ず、図面、最初に、図１を詳細に参照すると、参照番号１０は、全体として、多数引出しファイルキャビネットを示す。全体として、ファイルキャビネット１０は、上側ファイルキャビネット１１と、下側ファイルキャビネット１２とを有することができる。図２Ａを更に参照すると、上側ファイルキャビネット１１及び下側ファイルキャビネット１２の双方は、側壁１３ａと下面１３ｃとを有する基部１３を備えることができる。側壁１３ａの周端縁は、矩形、円形又はその他の形状とすることができる。更に、上側及び下側垂直ファイルキャビネット１１、１２は、矩形、円形又は該キャビネットを側壁１３ａの周端縁の境界内に嵌めるのを許容する任意の他の形状をした周端縁を有する頂面１４を備えている。側壁１３ａと頂面１４は同一の全体形状を有することが可能であることが理解されよう。
【００１６】
基部１３の側壁１３ａの内周又は周端縁は、頂面１４の外周又は周端縁よりも僅かに大きく、上側及び下側ファイルキャビネット１１、１２の間にて確実に嵌まるのを許容する。特に、側壁１３ａは、頂端縁１５と、底端縁１６とを有し、頂端縁１５と底端縁１６との間の距離は、下側ファイルキャビネット１２の頂面１７と引出し開口部１８の頂端縁１８ａとの間の距離に等しく又はそれ以下である。引出し開口部の頂面１７と上端縁１８との間の間隔は、引出し組立体１９を開けるのを妨害すること無く、基部１３と頂面１４との間の最小限の重なり合いを許容する。更に、図２及び図２Ａに最も良く示すように、１つ又はより多くのバンパー又は座金１３ｂを基部１３の下面１３ｃに取り付け、１つ又はより多くのねじ３０が下側ファイルキャビネット１２の頂面１７と接触しないことを保証することができる。
【００１７】
図１及び図２Ａに最も良く示すように、多数引出しファイルキャビネット１０は、上側ファイルキャビネット１１を下側ファイルキャビネット１２の頂部に配置し、側壁１３ａの内周が下側ファイルキャビネット１２の頂面１４上に確実に嵌まるようにすることで組み立てることができる。組み立てた後、引出し組立体１９は、基部１３の底端縁１６と接触せずに開く。図１には、２つの個別のキャビネットを有するファイルキャビネット１０が示されているが、２つ以上の個別のキャビネット組立体を有するファイル組立体も本発明の範囲に属することが理解されよう。
【００１８】
図１Ａに最も良く示すように、アクセサリホルダ１４０は、上側ファイルキャビネット１１の頂部に配置することができる。アクセサリホルダ１４０は、垂直ファイルキャビネット１１、１２の基部１３と同一の内寸法を有する基部１３ｄを備えることができる。このように、アクセサリホルダ１４０は、引出し組立体１９の開放を妨害せずに、上側ファイルキャビネット１１の頂部分１４上に配置することができる。更に、アクセサリホルダ１４０は、１つ又はより多くのファイルホルダ１４１と、ペーパークリップホルダ１４２と、ペンシルホルダ１４３と、メモパッドホルダ１４４とを有することもできる。アクセサリホルダ１４０は、特定の形態のアクセサリスロット又は室を有するものとして示されているが、その他の形態とすることも考えられることが理解されよう。
【００１９】
図２に最も良く示すように、ファイルキャビネット１１、１２の各々は、３つの部分から成る薄板金属組立体を有することができる。具体的には、該薄板金属組立体は、上側殻体部分２１と、後殻体部分２２と、基部１３とから成っている。更に、内側ケーシング又はハウジング２３は、殻体２１、２２及び基部１３内に配置し得るようにされている。上側部分２１は、頂部分１７ａと、２つの側部分２４、２５とから成っている。図３を更に参照すると、側部分２４、２５の各々は底端縁２０ａ、２０ｂの少なくとも一方から伸びるとともに、対向する端縁に向けて全体として内方に伸びる１つ又はより多くタブ２６を有している。また、タブ２６の各々は、該タブに画成された取り付け穴２７を備えることもできる。
【００２０】
図４を更に参照すると、基部１３は、タブ２６の数に相応する多数のスロット２８と、タブ２６に隣接する位置に配置された、その内部に画成した取り付け穴２９とを有している。スロット２８は、側部分２４、２５から伸びるタブ２６を受け入れるように配置され且つ、整合されている。更に、基部１３のスロット２８の各々は装着した溝２８ａも有している。溝２８ａは、それらのそれぞれのスロット２８を通じて配置された後、タブ２６の各々がその内部にて摺動するのを許容する寸法とすることができる。
【００２１】
側部分２４、２５を基部１３に確実に取り付けるため、タブ２６の各々は、基部１３のそれぞれのスロット２８内に配置される。次に、図５に最も良く示すように、タブ２６の中央取り付け穴２７が取り付け穴２９と整合される迄、タブ２６を溝２８ａ内に摺動させる。上側殻体部分２１を基部１３に更に固定するため、ねじ３０又はその他の適宜な締結具を穴２７、２９内に締結することができる。
【００２２】
図６ないし図８に最も良く示すように、内側ケーシング２３は、前側部３１と、後側部３２とを有しており、また、ブロー成形、又はその他の過程又は方法により形成することができる。更に、基部１３は、前端３３と、後端３４と、頂面３５と、リップ部３６とを更に有している。図６及び図７の図面は、上側殻体部分２１が基部１３に取り付けられない、基部１３における内側ケーシング２３を示すが、上側殻体部分２１を基部１３に取り付ける上記のステップの前又はステップの後に、内側ケーシング２３を基部１３に取り付けてもよい。
【００２３】
内側ケーシング２３を基部１３に更に固定するため、内側ケーシング２３を基部１３の後端３４の頂面３５に配置し、次に、基部１３の前端３３に向けて前方に摺動させる。内側ケーシング２３の正面側３１が基部１３の頂面３５の前端３３と交わったとき、該正面側は、基部１３に取り付けられ且つ、該基部１３から伸びるリップ部３６と係合する。具体的には、リップ部３６は頂面３５から上方に伸び且つ、基部１３の後端３４に向けてほぼ直角に曲がる。リップ部３６は、内側ケーシング２３を基部１３に固定する作用を果たす。
【００２４】
図５及び図８に最も良く示すように、内側ケーシング２３が基部１３に固定され、上側殻体部分２１が基部１３に固定されたならば、ケーシング２３は絶縁材料にて充填されることが理解されよう。該絶縁材料は、全体として鋳型内にて凝固する混合体にて出来た不燃性の熱絶縁性材料とすることができる。内側ケーシング２３を上側殻体部分２１と基部１３との間にてキャビネット内に配置し、次に、内側ケーシングに絶縁材料を充填するというステップは、キャビネットに対する支え材と追加的な支持体とを提供するという更なる利点をもたらすことになる。
【００２５】
図２及び図８に最も良く示すように、絶縁材料を内側ケーシング２３内に追加したとき、後殻体部分２２は、基部１３と上側殻体部分２１とに取り付けられる。後殻体部分２２は、該殻体に画成された１つ又はより多くの取り付け穴４５と、タブ３８の各々に画成された取り付け穴３９を有する複数のタブ３８とを備えることができる。更に、上側殻体部分２１の後面は、該後面に画成された１つ又はより多くの取り付け穴４４を有しており、また、基部１３は、該基部に画成された隣接する取り付け穴４１を有する複数のスロット４０を備えている。組立体の上側部分２１に画成された取り付け穴４４は、凹状面４２に配置されている。凹状面４２は、後殻体部分２２の厚さに相応する距離だけ外面４３から引き込んでおり、後殻体部分２２の外面４６は、キャビネット組立体の外面４３と面一となるようにすることができる。
【００２６】
タブ３８をスロット４１内に挿入し且つ、取り付け穴３９を取り付け穴４１と整合させることにより、後殻体部分２２の組み立ては完了する。更に、後殻体部分２２の取り付け穴４５は、凹状面４２における取り付け穴４４と整合させる。ねじ（図示せず）又は適当な任意の締結具を使用し、上述した取り付け穴を用いて後殻体部分２２を上側殻体部分２１に固定することができる。
【００２７】
図９に最も良く示すように、引出し組立体１９は、正面側引出し組立体５４ａと、引出しフレーム５４と、引出し組立体が内側ケーシング２３に対して動くのを許容する２つの対向する摺動部材５０ａ、５０ｂとを有している。図１０及び図１１を更に参照すると、摺動部材５０ａ、５０ｂの各々は、１対の外側トラック５１ａ、５１ｂと、一体の引出しトラック５２ａ、５２ｂとの間に配置されている。外側トラック５１ａ、５１ｂは、内側ケーシング２３の内側壁に一体に形成し、また、一体の引出しトラック５２ａ、５２ｂは、引出し組立体１９の側壁５３ａ、５３ｂの外面に形成することができる。
【００２８】
図１０及び図１１に最も良く示すように、外側トラック５１ａ、５１ｂの各々は、内側ケーシング２３の内部に形成され、また、第一の外側溝５５ａ、５５ｂと、第二の内側溝５６ａ、５６ｂとを更に有している。図９及び図１２を更に参照すると、摺動部材５０ａ、５０ｂの各々は、上面５７ａ、５７ｂと、下面５８ａ，５８ｂと、外方突き出しストッパ５９とを備えている。引出し組立体１９が内側ケーシング２３に取り付けられると、ストッパ５９の各々は、内側溝５６ａ、５６ｂ内に伸び、これにより第一の引出しストッパを提供し、また、摺動部材５０ａ、５０ｂの各々は、内側ケーシング２３の内壁にて外側溝５５ａ、５５ｂ内に摺動可能に配置されている。摺動部材５０ａ、５０ｂは、１つの共通の片（図示せず）とし、左側摺動部材５０ａと右側摺動部材５０ｂとは後側レールにより取り付けられることも理解されよう。後側レールは、内側壁の摺動レール溝内にて左側及び右側外部摺動部材を保持する追加的な支持体として作用することが可能である。
【００２９】
図９に最も良く示すように、一体の引出しトラック５２ａ、５２ｂは、引出し組立体１９の側壁５３ａ、５３ｂの外面から突き出し、また、該トラックに画成された細長いスロット６０ａ、６０ｂを有している。図１３及び図１４を更に参照すると、摺動部材５０ａ、５０ｂは、画成された係止スロット６２を各々、有する、内方に伸びる摺動タブ６１ａ、６１ｂをそれぞれ更に備えている。
【００３０】
組み立てたとき、図９に最も良く示すように、引出し組立体１９の側壁５３ａ、５３ｂの外面から突き出す引出しトラック５２ａ、５２ｂは、摺動部材５０ａ、５０ｂのそれぞれの内側通路６４ａ、６４ｂ内に挿入される。摺動タブ６１ａ、６１ｂは、図１３に最も良く示すように、引出し組立体１９の側壁５３ａ、５３ｂのそれぞれの細長いスロット６０ａ、６０ｂ内に挿入される。次に、引出し組立体１９は、クリップ６３ａ、６３ｂを使用することを通じて摺動部材５０ａ、５０ｂに固定する。クリップ６３ａ、６３ｂの各々は、摺動タブ６１ａ、６１ｂの係止スロット６２内に挿入される係止タブ１６４を有している。更に、クリップ６３ａ、６３ｂは、プラスチック材料にて形成し、また、フランジ６３ｂを有しており、該フランジは、係合部分６３ｃに対し全体として垂直に伸びている。また、支え材６３ｄはフランジ６３ｂと係合部分６３ｃとの間を伸びるようにしてもよいことが理解されよう。
【００３１】
引出しフレーム５４を２つの摺動部材５０ａ、５０ｂに固定する作用を果たすことに加えて、プラスチッククリップ６３ａ、６３ｂは、引出しが開いたとき、金属摺動タブ６１ａ、６１ｂが引出し組立体１９の金属に接触しないことを保証する。更に、側壁５３ａ、５３ｂの金属面と摺動部材５０ａ、５０ｂとの間の接触を更に最小限にするため、上側突出体６５と下側突出体６６とを摺動部材５０ａ、５０ｂの上面５７ａ、５７ｂと下面５８ａ、５８ｂとにそれぞれ取り付けることができる。
【００３２】
図１５に最も良く示すように、上側突出体６５又は下側突出体６６は、Ｈ字形に形成し、これら突出体が摺動部材５０ａ、５０ｂのそれぞれの上面５７ａ、５７ｂと下面５８ａ、５８ｂとの各々に形成されたスロット７０内に嵌まるようにすることができる。上側突出体と下側突出体とは、Ｃ字形の形状とし、突出体６５、６６が摺動部材５０ａ、５０ｂのそれぞれの面の端部上を摺動するようにしてもよいことも理解されよう。突出体がＣ字形であるならば、突出体は、摺動部材のそれぞれの面と一体に形成されたタブ（図示せず）により摺動部材５０ａ、５０ｂに固定することができる。突出体は、プラスチック又は任意の他の適宜な材料から成るものとしてよい。
【００３３】
図１６に最も良く示すように、引出しフレーム５４は、側壁５３ａ、５３ｂと、正面部分７３と、後部分７４と、底部分７５とを有するものとして示されている。正面部分７３、後部分７４、底部分７５は、薄板金属の単一片にて製造してもよいが、その他の形態とすることも考えられる。更に、側壁５３ａ、５３ｂは、「トグ−エル−ロック（Ｔｏｇ−Ｌ−Ｌｏｃｋ）」締結装置を含むが、これにのみ限定されない、薄板金属の任意の適宜な取り付け方法により正面部分７３、後部分７４、底部分７５に連結される。
【００３４】
図９及び図１７ないし図２１に最も良く示すように、正面側引出し組立体５４ａは、引出し正面部７６と、ブロー成形した引出しヘッド部７７と、盾板７８と、係止機構７９とを有している。以下に説明するように、正面側引出し組立体５４ａは、工具又は締結具無しにて組み立てられ、これにより組み立てコストを削減することができる。特に、図１７に最も良く示すように、引出しの正面側７６は、薄板金属にて形成し、また、盾板の開口部８０と、面板凹所８２と、薄板金属製の棚状突起８３と、掛止めスロット８４と、取り付けタブ８５とを有する。図２０、図２０Ａ、図２０Ｂ、図２０Ｃを参照すると、盾板７８は、１対の側部支持部材８８及び縁部８７を有しており、また、盾板の開口部８０を通じて最初に、縁部８７を挿入することにより、引出し正面側７６に取り付けられる。盾板７８が引出し正面側７６に確実に取り付けられるのを保証するため、盾板７８の縁部８７は、面板の凹所８２内に挿入し、また、１対の保持クリップ８６（図２２）を側部支持部材８８と引出し正面側７６の後面との間に挿入することができる。保持クリップ８６の各々は、開口８６ａ内にスナップ嵌めし、盾板７８を引出し正面側７６と連結された状態に確実に維持し得るようにされた突出体を有している。
【００３５】
図２１、図２１Ａ、図２２に最も良く示すように、係止組立体７９は、引出し組立体１９内、特に、正面側引出し組立体５４ａ内に可動に取り付け、開いた位置と閉じた位置との間にて遷移し、内側ケーシング２３の内部室へのアクセスを選択的に防止する。全体として、係止組立体７９は、ダイキャスト材料にて形成することのできる本体１００と、スチールにて形成することのできるカム９０とを有している。カム９０は、Ｚ字形とし、更に、係止脚部９１と、取り付け脚部９２と、平坦部分９３とを更に備えている。更に、取り付け脚部９２は、締結機構を使用することを通じてカム９０を内側ベーゼル（図示せず）に取り付けることを許容するよう画成されたスロット（図示せず）を有するようにしてもよい。
【００３６】
図２０、図２０Ｃ、図２１、図２１Ａ、図２２を参照すると、係止組立体７９は、引出しの面７６の盾板７８の正面側を通じて取り付けることができる。これを行う間、係止組立体７９の上側タブ１０１と下側タブ１０２は、盾板７８の上側スロット１０３と下側スロット１０４と整合させ、適正な配置位置を保証する。係止組立体７９が適正に整合したならば、盾板７８の複数の側部タブ１０５を係止組立体７９に画成された１対の側部凹所１０６内にスナップ嵌めし、これにより係止組立体７９を盾板７８により固定する。
【００３７】
図１７に最も良く示すように、２つの側溝１１４と頂部溝１１５とが引出し正面側７６の外周に形成されている。図１８、図１９を更に参照すると、引出しヘッド部７７は、また、盾板の受け入れ凹所１１０と、係止組立体の受け入れ凹所１１１と、棚状突起１１２と、リップ部１１３とを有している。引出しヘッド部７７は、リップ部１１３を引出し正面側７６の外周に形成された２つの側部溝１１４内に入口点１１６を通じて摺動させることにより、引出し正面側７６に取り付けられる。引出しヘッド部７７は、リップ部１１３の上面１１７が頂部溝１１５の上面１１８と接触するとき、所要位置にある。次に、引出しヘッド部７７を頂側部１１５と２つの側部１１４にて引出し正面側７６に固定する。
【００３８】
図９、図１６に最も良く示すように、完全に組み立てられた正面側引出し組立体５４ａは、完成した引出しフレーム５４に取り付けることができる。具体的には、図１９を更に参照すると、後側突出体１２８は、引出しヘッド部７７の後部から外方に伸びており、また、下面１１９を有している。更に、引出しフレーム５４の正面部分７３は、頂端縁１２０と、タブ取り付け面１２１とを有している。図１６、図１７、図２３に最も良く示すように、溶接、接着剤又は機械的締結具を含むが、これにのみ限定されない、任意の適宜な取り付け方法によりタブ８５を引出しフレーム５４のタブ取り付け面１２１に固定状態に取り付けることにより、正面側引出し組立体５４ａは、引出しフレーム５４に固定される。図１９を更に参照すると、引出しフレーム５４の正面部分７３の頂端縁１２０は、突出体１８の下面１１９と連結されており、引出しヘッド部７７を確実に所要位置に保持する。
【００３９】
図２２、図２４に最も良く示すように、係止機構７９は、固定位置又は係止位置にある。棚状突起８３の掛止めスロット８４は、カム９０が係止位置に回転するのを許容するのに十分な空隙を提供する形状とすることができる。作用時、カム９０が図２４に示した直立の位置にあるとき、引出し組立体１９は係止される。係止機構７９が係止位置にある間、引出し組立体１９を開けようとする結果、カム９０は棚状突起８３と接触し、このことは、引出しが開くのを防止することになる。
【００４０】
ファイルキャビネットが火災又は極度の熱に曝される場合、棚状突起８３のような薄板金属要素が損傷され且つ、カムに対するストッパとして作用を果たし得なくなる。かかる場合、ファイルキャビネット１０の引出し組立体１９は固定されたままである。特に、引出し組立体１９を開けようとするとき、引出しヘッド部７７の棚状突起１１２（図１８、図２４）は、カム９０の平坦部分９３に対する休止部として作用し、また、内側ケーシング２３の頂部壁１３０に形成された凹所１３２に隣接する正面１３１は、カム９０の係止脚部９１と接触する。
【００４１】
本発明は、先行技術における短所及び欠点を解決し且つ、緩和するものである。具体的には、本発明の多数の引出しファイルキャビネットは、耐火性を提供し且つ、追加的な締結部材を必要とせずに、複数のファイルキャビネットを互いに確実に積み重ねることを許容する。更に、本発明は、上側ファイルキャビネットと下側ファイルキャビネットとの間に配置された少なくとも１つのゴムバンパー又は座金を有し、締結部材が下側ファイルキャビネットの頂面を損傷させるのを防止する。更に、本発明は、２つの積み重ねたファイルが標準寸法の頂部の下方に嵌まるのを許容する。
【００４２】
本発明は、また、独創的な完全伸長可能、経済的な引出し組立体も有している。少なくとも１つの引き掻き防止重合系の案内突出体が通路の外端に配置され、摺動通路が引出し組立体及び内部ケーシングのその他の部分に食い込み且つ、引き掻くのを減少させる。引出し組立体は、容易に設置することも許容し、また、ころ又は軸受を利用しない。組み立てコストを削減するため、正面引出し組立体の全体を工具又は締結具無しにて組み立てることが可能である。更に、本発明は、引出し正面側又は引出し組立体が火災による損傷を受けたときでさえ、引出し組立体を係止位置に保持する独創的な係止組立体を有している。
【００４３】
本発明は、その特定の好ましい形態に関してかなり詳細に説明したが、その他の形態も可能である。このため、特許請求の範囲の精神及び範囲は、本明細書に記載した好ましい形態の説明にのみ限定されるべきではない。
【００４４】
特許請求の範囲、要約書及び図面を含む、本明細書に開示された全ての特徴並びに開示された全ての方法又は過程における全てのステップは、かかる特徴及び（又は）ステップの少なくとも幾つかが相互に排他的である場合の組み合わせを除いて、任意の組み合わせにて結合することができる。特許請求の範囲、要約書及び図面を含む、本明細書に開示された特徴の各々は、明示的に別段の記載がない限り、同一、等価的又は同様の目的を果たす代替的な特徴にて置換することが可能である。このように、明示的に別段の記載がない限り、開示された特徴の各々は、全体的な等価物又は同様の特徴の系統の単に一例にしか過ぎないものである。
【図面の簡単な説明】
【００４５】
【図１】本発明に従った上側ファイルキャビネットと下側ファイルキャビネットとを有する多数引出しファイルキャビネットの斜視図である。  １Ａは、図１に示した多数引出しファイルキャビネットと共に使用可能であるアクセサリホルダの斜視図である。
【図２】引出し組立体の無い、図１に示したファイルキャビネットの少なくとも１つの分解図である。
【００４６】
２Ａは、図１に示したファイルキャビネットの少なくとも１つの基部と、上側殻体部分との拡大部分底面斜視図である。
【図３】図２に示した上側殻体部分の拡大部分底面斜視図である。
【図４】図２に示した基部の拡大部分頂面斜視図である。
【図５】図３の上側殻体部分と連結された基部を示す、拡大部分底面斜視図である。
【図６】図１に示したファイルキャビネットの少なくとも１つの基部と内側ケーシングとの斜視図である。
【図７】基部の正面側部分と係合した内側ケーシングの拡大部分斜視図である。
【図８】図２に示した上側殻体部分、基部及び内側ケーシングの部分後方斜視図である。
【図９】図１に示した引出し組立体の側面斜視図である。
【図１０】内側ケーシングの拡大部分斜視図である。
【図１１】図２に示した内側ケーシングの斜視図である。
【図１２】図９に示した引出し組立体の側部材の拡大部分斜視図である。
【図１３】図９に示した引出し組立体の拡大部分斜視図である。
【図１４】図９に示した引出し組立体の拡大部分斜視図である。
【図１５】図９の線１５−１５に沿った断面図である。
【図１６】図９に示した引出し組立体の１つの構成要素である引出しフレームの斜視図である。
【図１７】図９に示した引出し組立体の１つの構成要素である引出し正面側の後方斜視図である。
【図１８】図９に示した引出し組立体の１つの構成要素である引出しヘッド部の正面斜視図である。
【図１９】図９に示した引出しヘッド部の後方斜視図である。
【図２０】図９に示した引出し組立体の１つの構成要素である盾板の後方斜視図である。
【図２０】２０Ａは、引出し組立体の引出し正面側と、盾板との後方分解斜視図である。
【００４７】
２０Ｂは、盾板が引出し正面側に取り付けられた、図２０Ａと同様の後方斜視図である。
２０Ｃは、引出し正面側に取り付けられた盾板を示す正面斜視図である。
【図２１】図２０、図２０Ｃに示した盾板に取り付け得るようにされた係止機構を示す正面斜視図である。
【００４８】
２１Ａは、図２１に示した係止機構の後方斜視図である。
【図２２】１対の保持クリップにより引出し正面側に固定された盾板と、係止機構とを示す後方斜視図である。
【図２３】図９に示した引出し組立体の拡大部分斜視図である。
【図２４】係止位置にある係止機構を示す、図１の線２４−２４に沿った断面図である。
【図１】
2006524545.tif 000003
2006524545.tif 000004
【図２】
2006524545.tif 000005
2006524545.tif 000006
【図３】
2006524545.tif 000007
【図４】
2006524545.tif 000008
【図５】
2006524545.tif 000009
【図６】
2006524545.tif 000010
【図７】
2006524545.tif 000011
【図８】
2006524545.tif 000012
【図９】
2006524545.tif 000013
【図１０】
2006524545.tif 000014
【図１１】
2006524545.tif 000015
【図１２】
2006524545.tif 000016
【図１３】
2006524545.tif 000017
【図１４】
2006524545.tif 000018
【図１５】
2006524545.tif 000019
【図１６】
2006524545.tif 000020
【図１７】
2006524545.tif 000021
【図１８】
2006524545.tif 000022
【図１９】
2006524545.tif 000023
【図２０】
2006524545.tif 000024
2006524545.tif 000025
2006524545.tif 000026
2006524545.tif 000027
【図２１】
2006524545.tif 000028
2006524545.tif 000029
【図２２】
2006524545.tif 000030
【図２３】
2006524545.tif 000031
【図２４】
2006524545.tif 000032
【国際調査報告】
2006524545.tif 000033